(57)【要約】【課題】ユーザが再生開始の入力操作を行ってから、実際に光ディスクの再生が開始されるまでの時間を短縮する。【解決手段】本体にセットされている光ディスク１０の回転速度が再生時の回転速度（Ｖｂ）に達するのを待つことなく、イコライザ回路５におけるＲＦ信号のカットオフ周波数（Ｆｃａ）、およびブースト量（Ｂｔ）を検出し、この検出時における光ディスク１０の回転速度（Ｖａ）を用いて、該光ディスク１０が再生時の回転速度（Ｖｂ）で回転されているときに、ＲＦ信号のジッタが最適となるカットオフ周波数（Ｆｃ）をＦｃ＝Ｆｃａ＋ｋ（Ｖｂ−Ｖａ）  により算出し設定する。これにより、ユーザが再生開始の入力操作を行ってから、実際に再生が開始されるまでの時間を短縮することができ、使い勝手の向上が図れる。【選択図】図１
2004227697.tif 000002
【特許請求の範囲】
【請求項１】
本体にセットされている光ディスクを所定の回転速度で回転させる回転手段と、
上記回転手段により回転されている光ディスクにレーザ光を照射し、その反射光を受光してＲＦ信号を出力する読取手段と、
設定されているカットオフ周波数、およびブースト量に基いて、上記読取手段が出力した上記ＲＦ信号の周波数特性を調整するイコライザ手段と、
上記イコライザ手段により周波数特性が調整された上記ＲＦ信号から再生信号を生成し、出力する再生手段と、を備えた光ディスク装置において、
上記回転手段が本体にセットされている光ディスクの回転を開始した後、該光ディスクの回転速度が上記所定の回転速度に達する前に、上記読取手段から出力されたＲＦ信号について、ジッタを最適化するカットオフ周波数、およびブースト量を検出する調整値検出手段と、
上記調整値検出手段が検出したカットオフ周波数（Ｆｃａ）、このカットオフ周波数（Ｆｃａ）を検出した時点における上記光ディスクの回転速度（Ｖａ）、上記所定の回転速度（Ｖｂ）、および予め設定されている比例定数ｋを用いて、本体にセットされている光ディスクが上記所定の回転速度（Ｖｂ）で回転されているときに上記読取手段から出力されるＲＦ信号のジッタを最適化するカットオフ周波数（Ｆｃ）を、
Ｆｃ＝Ｆｃａ＋ｋ（Ｖｂ−Ｖａ）
により算出し、設定する設定手段と、を備え、
上記イコライザ手段は、上記設定手段により設定されたカットオフ周波数、およびブースト量に基いて、上記読取手段が出力した上記ＲＦ信号の周波数特性を調整し、
上記再生手段は、上記設定手段により上記光ディスクが上記所定の回転速度で回転されているときに、上記読取手段から出力されるＲＦ信号のジッタを最適化するカットオフ周波数、およびブースト量が設定されると、該光ディスクの回転速度が上記所定の回転速度に達するのを待つことなく再生を開始する光ディスク装置。
【請求項２】
本体にセットされている光ディスクを所定の回転速度で回転させる回転手段と、
上記回転手段により回転されている光ディスクにレーザ光を照射し、その反射光を受光してＲＦ信号を出力する読取手段と、
設定されているカットオフ周波数、およびブースト量に基いて、上記読取手段が出力した上記ＲＦ信号の周波数特性を調整するイコライザ手段と、
上記イコライザ手段により周波数特性が調整された上記ＲＦ信号から再生信号を生成し、出力する再生手段と、を備えた光ディスク装置において、
上記回転手段が本体にセットされている光ディスクの回転を開始した後、該光ディスクの回転速度が上記所定の回転速度に達する前に、上記読取手段から出力されたＲＦ信号について、ジッタを最適化するカットオフ周波数、およびブースト量を検出する調整値検出手段と、
上記調整値検出手段が検出したカットオフ周波数、ブースト量、およびこれらを検出した時点における上記光ディスクの回転速度を用いて、該光ディスクが上記所定の回転速度で回転されているときに、上記読取手段から出力されるＲＦ信号のジッタを最適化するカットオフ周波数、およびブースト量を算出し、設定する設定手段と、を備え、
上記イコライザ手段は、上記設定手段により設定されたカットオフ周波数、およびブースト量に基いて、上記読取手段が出力した上記ＲＦ信号の周波数特性を調整する光ディスク装置。
【請求項３】
上記再生手段は、上記設定手段により上記光ディスクが上記所定の回転速度で回転されているときに、上記読取手段から出力されるＲＦ信号のジッタを最適化するカットオフ周波数、およびブースト量が設定されると、該光ディスクの回転速度が上記所定の回転速度に達するのを待つことなく再生を開始する請求項２に記載の光ディスク装置。
【請求項４】
上記設定手段は、上記調整値検出手段が検出したカットオフ周波数（Ｆｃａ）、このカットオフ周波数（Ｆｃａ）を検出した時点における上記光ディスクの回転速度（Ｖａ）、上記所定の回転速度（Ｖｂ）、および予め設定されている比例定数ｋを用いて、本体にセットされている光ディスクが上記所定の回転速度（Ｖｂ）で回転されているときに上記読取手段から出力されるＲＦ信号のジッタを最適化するカットオフ周波数（Ｆｃ）を、
Ｆｃ＝Ｆｃａ＋ｋ（Ｖｂ−Ｖａ）
により算出する請求項２または３に記載の光ディスク装置。
【発明の詳細な説明】
【０００１】
【発明の属する技術分野】
この発明は、本体にセットされたＤＶＤやＣＤ等の光ディスクを再生する光ディスク装置に関する。
【０００２】
【従来の技術】
従来、ＤＶＤやＣＤ等の光ディスクを再生する光ディスク装置は、本体にセットされた光ディスクから読み取ったＲＦ信号（ピックアップヘッドから出力されたＲＦ信号）に対してイコライズ調整を行っている。周知のように、光ディスクから読み取ったＲＦ信号は、種々の周波数成分を含んだ信号であり、高い周波数ほどそのレベルが低い。また、レベルが低い信号ほど、ジッタが悪い。イコライズ調整は、ＲＦ信号のジッタを最適化するための処理であり、具体的には光ディスクから読み取ったＲＦ信号について、ある周波数を超える成分をカットするとともに、ブーストする処理である。
【０００３】
イコライズ調整におけるＲＦ信号のカットオフ周波数（Ｆｃ）、およびブースト量（Ｂｔ）は、再生する光ディスク（本体に設定されている光ディスク）におけるデータの記録密度や、信号品位等により変化するため、本体にセットされた光ディスクに応じて設定しなければならない。このため、従来の光ディスク装置は、再生に先立って、本体にセットされた光ディスクについてジッタが最適となるＲＦ信号のカットオフ周波数（Ｆｃ）、およびブースト量（Ｂｔ）を検出している（特許文献１、２参照）。再生時には、ここで検出したカットオフ周波数（Ｆｃ）、およびブースト量（Ｂｔ）に基いてイコライズ調整を行う。
【０００４】
特に、特許文献１は、光ディスクの再生位置（内周側、外周側）に応じてジッタを最適化するために、ＲＦ信号のカットオフ周波数（Ｆｃ）、およびブースト量（Ｂｔ）を光ディスクの再生位置に応じた変化させる構成を開示したものであり、特許文献２はＲＦ信号のカットオフ周波数（Ｆｃ）、およびブースト量（Ｂｔ）を検出する処理を簡単化し、該処理にかかる時間を短縮する構成を開示したものである。
【０００５】
【特許文献１】
特開２００１−１２６２６１号公報
【特許文献２】
特開２００２−８２４３号公報
【０００６】
【発明が解決しようとする課題】
しかしながら、従来の光ディスク装置は、本体にセットされている光ディスクが再生時の回転速度（この発明で言う所定の回転速度）で回転されている状態で、ジッタを最適化するためのＲＦ信号のカットオフ周波数（Ｆｃ）、およびブースト量（Ｂｔ）を検出していた。具体的には、ユーザが本体に対して光ディスクの再生開始の入力操作を行うと、本体にセットされている光ディスクの回転を開始し、この光ディスクの回転速度が再生時の回転速度に達するのを待って、ＲＦ信号のカットオフ周波数（Ｆｃ）、およびブースト量（Ｂｔ）を検出していた。
【０００７】
このように、従来の光ディスク装置は、光ディスクの回転速度が再生時の回転速度に達してから、ＲＦ信号のカットオフ周波数（Ｆｃ）、およびブースト量（Ｂｔ）を検出する構成であったため、光ディスクの回転を開始してから、この光ディスクの回転速度が再生時の回転速度に達するまでの時間が待ち時間として存在していた。この待ち時間により、ユーザが再生開始の入力操作を行ってから実際に光ディスクの再生が開始されるまでの時間、すなわちユーザを待たせる時間、が長くなり、使い勝手がよくないという問題があった。
【０００８】
この発明の目的は、ユーザが再生開始の入力操作を行ってから、実際に光ディスクの再生が開始されるまでの時間を短縮することにより、使い勝手を向上させた光ディスク装置を提供することにある。
【０００９】
【課題を解決するための手段】
この発明の光ディスク装置は、上記課題を解決するために以下の構成を備えている。
【００１０】
本体にセットされている光ディスクを所定の回転速度で回転させる回転手段と、
上記回転手段により回転されている光ディスクにレーザ光を照射し、その反射光を受光してＲＦ信号を出力する読取手段と、
設定されているカットオフ周波数、およびブースト量に基いて、上記読取手段が出力した上記ＲＦ信号の周波数特性を調整するイコライザ手段と、
上記イコライザ手段により周波数特性が調整された上記ＲＦ信号から再生信号を生成し、出力する再生手段と、を備えた光ディスク装置において、
上記回転手段が本体にセットされている光ディスクの回転を開始した後、該光ディスクの回転速度が上記所定の回転速度に達する前に、上記読取手段から出力されたＲＦ信号について、ジッタを最適化するカットオフ周波数、およびブースト量を検出する調整値検出手段と、
上記調整値検出手段が検出したカットオフ周波数、ブースト量、およびこれらを検出した時点における上記光ディスクの回転速度を用いて、該光ディスクが上記所定の回転速度で回転されているときに、上記読取手段から出力されるＲＦ信号のジッタを最適化するカットオフ周波数、およびブースト量を算出し、設定する設定手段と、を備え、
上記イコライザ手段は、上記設定手段により設定されたカットオフ周波数、およびブースト量に基いて、上記読取手段が出力した上記ＲＦ信号の周波数特性を調整する。
【００１１】
この構成では、調整値検出手段が本体にセットされている光ディスクの回転を開始した後、この光ディスクの回転速度が所定の回転速度（再生時の回転速度）に達する前に、読取手段であるピックアップヘッドから出力されたＲＦ信号について、ジッタを最適化するカットオフ周波数（Ｆｃ）、およびブースト量（Ｂｔ）を検出する。
【００１２】
設定手段が、所定の回転速度（Ｖｂ）に達する前に検出した、ＲＦ信号を最適化するカットオフ周波数（Ｆｃａ）、ブースト量（Ｂｔ）、およびこれらを検出したときの光ディスクの回転速度（Ｖａ）を用いて、所定の回転速度（Ｖｂ）で回転されている光ディスクから読み取ったＲＦ信号のジッタを最適化するカットオフ周波数（Ｆｃ）、およびブースト量（Ｂｔ）を算出し、設定する。
【００１３】
ここで、本願発明者は、光ディスクの回転速度（Ｖ）と、ジッタを最適化するカットオフ周波数（Ｆｃ）との間に比例関係があることを確認している。具体的には、
Ｆｃ＝ｋＶ＋Ａ
但し、ｋは比例定数、Ａは定数
また、上記比例定数（ｋ）は、装置のハード構成により定まる値であり、Ａは本体にセットされた光ディスクにより変化する値であることも確認している。さらに、ブースト量（Ｂｔ）については、光ディスクの回転速度に対して殆ど変化しないことを確認している。
【００１４】
したがって、上記比例定数（ｋ）を本体に設定しておけば、所定の回転速度（Ｖｂ）で回転されている光ディスクから読み取ったＲＦ信号のジッタを最適化するカットオフ周波数（Ｆｃ）を
Ｆｃ＝Ｆｃａ＋ｋ（Ｖｂ−Ｖａ）
により算出することができる。
【００１５】
なお、上述したように比例定数（ｋ）は、装置本体のハード構成により定まる値であるので、予め設定しておくことは可能である。
【００１６】
また、ＲＦ信号のジッタを最適化するブースト量（Ｂｔ）は、光ディスクの回転速度に対して殆ど変化しないことから、今回検出したブースト量（Ｂｔ）とすることができる。
【００１７】
イコライザ手段が、設定手段により設定された、カットオフ周波数（Ｆｃ）、およびブースト量（Ｂｔ）に基いて、ＲＦ信号の周波数特性を調整し（ジッタを最適化し）、再生手段が調整されたＲＦ信号から再生信号（音声信号、映像信号）を生成し、出力する。
【００１８】
このように、光ディスクの回転速度が所定の回転速度（再生時の回転速度）に達するのを待つことなく、カットオフ周波数（Ｆｃ）、およびブースト量（Ｂｔ）を設定することができるので、ユーザが再生開始の入力操作を行ってから、実際に再生が開始されるまでの時間を十分に短縮することができ、ユーザの使い勝手の向上が図れる。
【００１９】
また、上記再生手段は、上記設定手段により上記光ディスクが上記所定の回転速度で回転されているときに、上記読取手段から出力されるＲＦ信号のジッタを最適化するカットオフ周波数、およびブースト量が設定されると、該光ディスクの回転速度が上記所定の回転速度に達するのを待つことなく再生を開始する用に構成すれば、ユーザが再生開始の入力操作を行ってから、実際に再生が開始されるまでの時間を一層短縮することができる。
【００２０】
この場合、上記イコライザ手段が該光ディスクの回転速度が上記所定の回転速度に達するまでの間、上記読取手段が出力した上記ＲＦ信号の周波数特性の調整において用いるカットオフ周波数を
▲１▼上記調整値検出手段が検出したカットオフ周波数（Ｆｃａ）としてもよいし、
▲２▼設定手段により算出されたカットオフ周波数（Ｆｃ）としてもよいし、
▲３▼光ディスクの回転速度の上昇に応じて、上記調整値検出手段が検出したカットオフ周波数（Ｆｃａ）から設定手段により算出されたカットオフ周波数（Ｆｃ）へ段階的に変化させてもよい。
【００２１】
なお、この間におけるブースト量（Ｂｔ）は、調整値検出手段により検出されたブースト量（Ｂｔ）を用いる。また、上記▲１▼〜▲３▼のどの場合であっても、光ディスクの回転速度が上記所定の回転速度に達すると、イコライザ手段は設定手段により設定されたカットオフ周波数（Ｆｃ）、およびブースト量（Ｂｔ）に基いて、上記読取手段が出力した上記ＲＦ信号の周波数特性を調整する。
【００２２】
【発明の実施の形態】
以下、この発明の実施形態である光ディスク装置について詳細に説明する。
【００２３】
図１は、この発明の実施形態である光ディスク装置の構成を示すブロック図である。この実施形態の光ディスク装置１は、本体の動作を制御する制御部２と、本体にセットされたＣＤやＤＶＤ等の光ディスク１０を回転するスピンドルモータ３と、本体にセットされている光ディスク１０にレーザ光を照射し、その反射光を受光してＲＦ信号を出力するピックアップヘッド４と、ピックアップヘッド４から出力されたＲＦ信号の周波数特性を調整するイコライザ回路５と、イコライザ回路５で周波数特性が調整されたＲＦ信号から再生信号（音声信号、映像信号）を生成し、この再生信号を出力する信号処理回路６とを備えている。また、７はスピンドルモータ３の回転を制御するドライバ回路７であり、８はピックアップヘッド４におけるフォーカスサーボおよびトラッキングサーボを制御するサーボ回路である。９は、ユーザが入力操作を行う操作部である。
【００２４】
ピックアップヘッド４には、公知のようにフォーカスエラー信号、およびトラッキングエラー信号を得るために、４分割の受光素子（ＰＤ）を設けている。イコライザ回路５におけるピックアップヘッド４から出力されたＲＦ信号の周波数特性の調整は、設定されているカットオフ周波数（Ｆｃ）を超える成分をカットし、設定されているブースト量（Ｂｔ）に基いてブーストする処理である。カットオフ周波数（Ｆｃ）、およびブースト量（Ｂｔ）は、後述する処理により設定される。信号処理回路６は、イコライザ回路５で周波数特性が調整されたＲＦ信号を復調するとともにエラー訂正を行い、これをデコードした音声信号や映像信号を再生信号として出力する。サーボ回路８は、ピックアップヘッド４から出力されるフォーカスエラー信号、およびトラッキングエラー信号（不図示）に基いて、フォーカス制御、およびトラッキング制御を行う。
【００２５】
ここで、この実施形態の光ディスク装置１における光ディスク１０の再生時の動作について説明する。図２は、この発明の実施形態である光ディスク装置における再生時の動作を示すフローチャートである。
【００２６】
光ディスク装置１は、再生開始の指示があると本処理を開始する。例えば、操作部９に設けられた再生キーが操作されたときや、図示していないリモコン装置から送信されてきた再生開始を指示するコマンドを受信したとき、さらには本体に光ディスク１０がセットされたときに本処理を開始する。
【００２７】
光ディスク装置１は、まず最初に本体にセットされている光ディスク１０の回転を開始する（スピンドルモータ３の回転を開始する。）（ｓ１）。本体にセットされた光ディスク１０の回転速度は、図３に示すように、ｓ１で回転が開始されてから、ｔ時間経過後に予め設定されている回転速度（この発明で言う所定の回転速度）に達する。図３において、Ｔ０が光ディスク１０の回転を開始したタイミングであり、Ｔ１が光ディスク１０の回転速度が所定の回転速度Ｖｂに達したタイミングである。
【００２８】
光ディスク装置１は、ｓ１で本体にセットされている光ディスク１０の回転を開始すると、再生時の回転速度（Ｖｂ）に達するのを待つことなく、サーボ回路８によるフォーカス制御、およびトラッキング制御を開始する（ｓ２）。フォーカス制御は光ディスク１０に照射しているレーザ光の焦点位置を該光ディスク１０のデータの記録面に合わせる制御であり、トラッキング制御は光ディスク１０に照射しているレーザ光の照射位置を該光ディスク１０のトラックの中心に合わせる制御である。このサーボ回路８における、フォーカス制御、およびトラッキング制御については公知であるので、ここでは説明を省略する。
【００２９】
光ディスク装置１は、フォーカス制御、およびトラッキング制御を開始すると、イコライザ調整におけるＲＦ信号のカットオフ周波数、およびブースト量の検出を開始する（ｓ３）。通常、ｓ３でＲＦ信号のカットオフ周波数、およびブースト量の検出を開始するタイミングは、ｓ１で本体にセットされている光ディスク１０の回転を開始してからｔ時間経過していないタイミングとなり、本体にセットされている光ディスク１０の回転速度（Ｖａ）が再生時の回転速度（Ｖｂ）に達していないときになる。
【００３０】
ここで、本体にセットされている光ディスク１０の回転速度と、ジッタを最適化するＲＦ信号のカットオフ周波数と、の間に比例関係があることを本願発明者は実験により確認している。具体的には、図４に示すように、光ディスクの回転速度（Ｖ）と、ジッタを最適化するカットオフ周波数（Ｆｃ）との間に、以下の関係があることを確認している。
Ｆｃ＝ｋＶ＋Ａ
但し、ｋは比例定数、Ａは定数
また、上記比例定数（ｋ）は、装置のハード構成により定まる値であり、Ａは本体にセットされた光ディスク１０により変化する値であることも確認している。さらに、ブースト量（Ｂｔ）については、光ディスクの回転速度に対して殆ど変化しないことを確認している。
【００３１】
光ディスク装置１は、本体にセットされている光ディスク１０の回転速度を再生時の回転速度（Ｖｂ）に上げながら、ｓ３にかかる処理を行う。また、光ディスク装置１は、光ディスク１０の回転速度を検出しながら、ジッタが最適となるＲＦ信号のカットオフ周波数（Ｆｃａ）、およびブースト量（Ｂｔ）を検出する。
【００３２】
光ディスク装置１は、ジッタが最適となるカットオフ周波数（Ｆｃａ）、およびブースト量（Ｂｔ）の検出を完了すると（ｓ４）、再生時の回転速度（Ｖｂ）においてジッタが最適となるＲＦ信号のカットオフ周波数（Ｆｃ）を算出する（ｓ５）。ｓ５では、検出したジッタが最適となるＲＦ信号のカットオフ周波数（Ｆｃａ）、このときの光ディスク１０の回転速度（Ｖａ）、および再生時の回転速度（Ｖｂ）を用いて、再生時の回転速度（Ｖｂ）においてジッタが最適となるＲＦ信号のカットオフ周波数（Ｆｃ）を
Ｆｃ＝Ｆｃａ＋ｋ（Ｖｂ−Ｖａ）
により算出する。
【００３３】
光ディスク装置１は、ｓ５で算出したＲＦ信号のカットオフ周波数（Ｆｃ）、およびｓ３、ｓ４の処理で検出したブースト量（Ｂｔ）、をイコライザ回路５における調整値として設定する（ｓ６）。
【００３４】
光ディスク装置１は、ｓ６でＲＦ信号のカットオフ周波数Ｆｃ、およびブースト量を設定すると、本体にセットされている光ディスク１０の再生処理を開始する（ｓ７）。このとき、光ディスク装置１は、本体にセットされている光ディスク１０の回転速度が再生時の回転速度に達していない場合であっても、この光ディスク１０の再生処理を開始する。
【００３５】
その後、光ディスク装置１は、再生停止の指示があるまで、ｓ７で開始した光ディスク１０の再生処理を継続する（ｓ８、ｓ９）。例えば、操作部９に設けられた停止キーが操作されたときや、図示していないリモコン装置から送信されてきた再生停止を指示するコマンドを受信したときに、再生処理を停止して本処理を終了する。
【００３６】
ここで、ｓ７で開始される再生処理について詳細に説明する。図５は、この再生処理を示すフローチャートである。
【００３７】
光ディスク装置１は、周知のようにピックアップヘッド４に設けられている発光素子（ＬＤ）が回転されている光ディスク１０にレーザ光を照射し、その反射光を４分割の受光素子（ＰＤ）で受光し、ＲＦ信号、フォーカスエラー信号、トラッキングエラー信号を出力する。ピックアップヘッド４から出力されたフォーカスエラー信号、およびトラッキングエラー信号に基いて、サーボ回路８がフォーカス制御、およびトラッキング制御を行う。フォーカス制御は光ディスク１０に照射しているレーザ光の焦点位置を該光ディスク１０のデータの記録面に合わせる制御であり、トラッキング制御は光ディスク１０に照射しているレーザ光の照射位置を該光ディスク１０のトラックに合わせる制御である。
【００３８】
光ディスク装置１は、本体にセットされている光ディスク１０の回転速度が、再生時の回転速度（Ｖｂ）に達しているかどうかを判定する（ｓ１１）。ピックアップヘッド４から出力されたＲＦ信号は、イコライザ回路５に入力されている。ｓ１１で、光ディスク１０の回転速度（Ｖｃ）が再生時の回転速度（Ｖｂ）に達していないと判定すると、ピックアップヘッド４から出力されたＲＦ信号のジッタを最適化するためのカットオフ周波数（Ｆｃｂ）を算出する（ｓ１２）。具体的には、
Ｆｃｂ＝Ｆｃａ＋ｋ（Ｖｃ−Ｖａ）
により、カットオフ周波数（Ｆｃｂ）を算出する。
【００３９】
したがって、ｓ１２では、この時点における光ディスク１０の回転速度（Ｖｃ）に対して、ピックアップヘッド４から出力されたＲＦ信号のジッタを最適化するカットオフ周波数（Ｆｃｂ）が算出されることになる。イコライザ回路５は、ピックアップヘッド４から入力されたＲＦ信号に含まれている、ｓ１２で算出されたカットオフ周波数（Ｆｃｂ）を超える成分をカットするイコライズ調整を行う（ｓ１３）。
【００４０】
ｓ１１〜ｓ１３の処理は、本体にセットされている光ディスク１０の回転速度が再生時の回転速度（Ｖｂ）に達するまで繰り返し行われる。
【００４１】
なお、ｓ１３におけるイコライズ調整においては、ＲＦ信号をｓ６で設定したブースト量でブーストしている。
【００４２】
イコライザ回路５でイコライズ調整されたＲＦ信号は、信号処理回路６に入力される。信号処理回路６は、入力されたＲＦ信号を復調し、復調した信号についてエラー訂正を行う。さらに、信号処理回路６は、エラー訂正を行った信号をデコードする。信号処理回路６は、デコードした再生信号（音声信号、および映像信号）を出力する。
【００４３】
なお、光ディスク１０に映像信号が記録されていない場合、信号処理回路６から映像信号が出力されることはない。
【００４４】
このように、光ディスク装置１は本体にセットされている光ディスク１０の回転速度が再生時の回転速度（Ｖｂ）に達していないときでも、その時点における光ディスク１０の回転速度（Ｖｃ）に応じて、ＲＦ信号のジッタを最適化するためのカットオフ周波数（Ｆｃｂ）を算出し、イコライザ回路５がこのカットオフ周波数（Ｆｃｂ）でイコライズ調整を行う。したがって、ｓ７で本体にセットされている光ディスク１０の再生処理を開始したときに、該光ディスク１０の回転速度が再生時の回転速度（Ｖｂ）に達していないときでも、イコライザ回路５においてピックアップヘッド４から出力されたＲＦ信号のジッタが最適となるイコライズ調整を行うことができる。
【００４５】
また、光ディスク装置１は、ｓ１１で本体にセットされている光ディスク１０の回転速度が再生時の回転速度（Ｖｂ）に達したと判定すると、ｓ６で設定したカットオフ周波数（Ｆｃ）、およびブースト量（Ｂｔ）に基いて、イコライザ回路５がピックアップヘッド４から出力されたＲＦ信号のイコライズ調整を行う（ｓ１４）。
【００４６】
図５に示す処理は、ｓ９で再生処理を停止するまで継続される。
【００４７】
このように、この実施形態の光ディスク装置１は、本体にセットされている光ディスク１０の回転速度が再生時の回転速度（Ｖｂ）に達するのを待つことなく、イコライザ回路５におけるＲＦ信号のカットオフ周波数（Ｆｃａ）、およびブースト量（Ｂｔ）を検出し、この検出時における光ディスク１０の回転速度（Ｖａ）を用いて、該光ディスク１０が再生時の回転速度（Ｖｂ）で回転されているときに、ＲＦ信号のジッタが最適となるカットオフ周波数（Ｆｃ）を算出し設定する構成としたので、光ディスク１０の回転速度が再生時の回転速度（Ｖｂ）に達するまでの待ち時間を無くすことができる。これにより、ユーザが再生開始の入力操作を行ってから、実際に再生が開始されるまでの時間を短縮することができ、使い勝手の向上が図れる。
【００４８】
また、光ディスク１０が再生時の回転速度（Ｖｂ）で回転されているときに、ＲＦ信号のジッタが最適となるカットオフ周波数（Ｆｃ）を算出し設定した後、光ディスク１０の回転速度が再生時の回転速度（Ｖｂ）に達していなくても、再生を開始する構成としたので、ユーザが再生開始の入力操作を行ってから、実際に再生が開始されるまでの時間を一層短縮することができる。
【００４９】
さらに、光ディスク１０の回転速度が再生時の回転速度（Ｖｂ）に達していないときには、その時点における光ディスク１０の回転速度（Ｖｃ）に応じて、ＲＦ信号のジッタを最適化するためのカットオフ周波数（Ｆｃｂ）を算出し、イコライザ回路５がこのカットオフ周波数（Ｆｃｂ）でイコライズ調整を行うようにしたので、光ディスク１０の回転速度が再生時の回転速度（Ｖｂ）に達していないときでも、イコライザ回路５においてピックアップヘッド４から出力されたＲＦ信号のジッタが最適となるイコライズ調整が行える。
【００５０】
なお、上記実施形態では、光ディスク１０の回転速度が再生時の回転速度（Ｖｂ）に達していないときには、イコライザ回路５がｓ３、ｓ４で検出したカットオフ周波数（Ｆｃａ）、またはｓ６で設定したカットオフ周波数（Ｆｃ）でイコライズ調整を行うようにしてもよい。この場合、光ディスク１０の回転速度が再生時の回転速度（Ｖｂ）に達するまで、イコライズ調整されたＲＦ信号のジッタが若干低下するが、本体の処理を簡略化することができ、本体コストを安価にできるというメリットがある。
【００５１】
【発明の効果】
以上のように、この発明によれば、ユーザが再生開始の入力操作を行ってから、実際に再生が開始されるまでの時間を短縮することができ、使い勝手の向上が図れる。
【図面の簡単な説明】
【図１】この発明の実施形態である光ディスク装置の構成を示すブロック図である。
【図２】この発明の実施形態である光ディスク装置における再生時の動作を示すフローチャートである。
【図３】再生時における光ディスクの回転速度の制御を説明する図である。
【図４】光ディスクの回転速度と、ＲＦ信号のカットオフ周波数Ｆｃとの関係を示す図である。
【図５】この発明の実施形態である光ディスク装置における再生処理を示すフローチャートである。
【符号の説明】
１−光ディスク装置
２−制御部
３−スピンドルモータ
４−ピックアップヘッド
５−イコライザい回路
６−信号処理回路
【図１】
2004227697.tif 000003
【図２】
2004227697.tif 000004
【図３】
2004227697.tif 000005
【図４】
2004227697.tif 000006
【図５】
2004227697.tif 000007